【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
空気濾過および分析システムであって、前記システムは、
ユーザによって装着されるように構成された装置であって、前記装置は、前記ユーザの鼻腔付近または鼻腔内に設置されるように構成された濾過デバイスを備え、前記濾過デバイスは、前記ユーザによって吸入される前記空気から１つまたは複数の元素を低減させるように構成されている、装置と、
センサデータを収集するように構成された複数のセンサであって、前記収集されたセンサデータの一部は、（ｉ）前記ユーザによって吸入および／または吐出される空気の１つまたは複数の特性、および／または、（ｉｉ）前記ユーザが位置する環境を示し、少なくとも１つのセンサおよび／または前記装置は、前記収集されたセンサデータを分析するように構成されたプロセッサと通信する、センサと
を備える、システム。
【請求項２】
前記複数のセンサは、化学センサ、圧力および空気流センサ、心拍数モニタ、血液酸素飽和度センサ、ＧＰＳセンサ、温度センサ、および慣性センサから成る群から選択される、請求項１に記載のシステム。
【請求項３】
前記複数のセンサは、（１）前記濾過デバイスとともに位置するかまたは前記濾過デバイス上に位置するセンサの第１のセットと、（２）前記濾過デバイスの遠隔に位置するセンサの第２のセットとを備える、請求項１に記載のシステム。
【請求項４】
前記プロセッサは、前記ユーザの健康への１つまたは複数の元素の影響を低減させるように、前記分析されたセンサデータに基づいて、前記濾過デバイスおよび／または少なくとも１つのセンサの動作を達成するように構成されている、請求項１に記載のシステム。
【請求項５】
前記プロセッサは、
（１）基準センサ参照に対して少なくとも１つのセンサを較正するステップ、
（２）少なくとも１つのセンサが正常に動作しているかどうか、または、前記センサが故障しているかどうかをチェックするステップ、または
（３）センサドリフト、エラー、またはバイアスを補正するステップ
のうちの１つまたは複数のものを行うように構成されている、請求項１に記載のシステム。
【請求項６】
前記複数のセンサは、異なる事前判定されたサンプリング周波数において前記センサデータを収集するように構成されている、請求項１に記載のシステム。
【請求項７】
前記プロセッサは、他の異なるタイプのセンサデータに対してセンサデータの各セットの精度を照合することによって、および／または、異なるソースからのセンサデータを相関させることによって、前記センサデータを分析するように構成されている、請求項１に記載のシステム。
【請求項８】
前記プロセッサは、前記複数のセンサのそれぞれの精度および／または固有の感知特性に基づいて、加重を前記センサデータに割り当てるように構成されている、請求項１に記載のシステム。
【請求項９】
前記プロセッサは、前記ユーザによって携行または装着されるモバイルデバイスまたはウェアラブルデバイスの上に位置する、および／または、前記ユーザの遠隔にあるサーバの上に位置する、請求項１に記載のシステム。
【請求項１０】
前記プロセッサは、前記収集されたセンサデータを圧縮し、メモリの中に前記圧縮されたデータを記憶するように構成されている、請求項１に記載のシステム。
【請求項１１】
前記プロセッサは、（１）前記ユーザの生理学的必要性および活動を満たすように、および／または、（２）前記ユーザの局所環境に基づいて、前記濾過デバイスおよび／または前記少なくとも１つのセンサをプログラムおよびカスタマイズすることによって、前記濾過デバイスおよび／または前記少なくとも１つのセンサの前記動作を達成するように構成されている、請求項１に記載のシステム。
【請求項１２】
前記プロセッサは、（１）前記ユーザの健康状態および／または病状、および／または、（２）前記ユーザが行っている活動のタイプを判定するように、前記収集されたセンサデータを分析するように構成されている、請求項１に記載のシステム。
【請求項１３】
前記プロセッサは、既知の汚染源への前記ユーザの近接性、環境、時刻、および／または、季節を判定するように、前記収集されたセンサデータを分析するように構成されている、請求項１に記載のシステム。
【請求項１４】
前記ユーザが１つの場所から別の場所まで移動するにつれて、時刻が変化するにつれて、季節が変化するにつれて、および／または、前記ユーザの健康状態の変化に応じて、前記濾過デバイスおよび／または前記少なくとも１つのセンサがリアルタイムで動的かつ自動的に適応するように構成されるように、前記プロセッサは、前記濾過デバイスおよび／または前記少なくとも１つのセンサの前記動作を達成するように構成されている、請求項１に記載のシステム。
【請求項１５】
前記プロセッサは、（１）前記少なくとも１つのセンサを選択的にアクティブ化または非アクティブ化すること、および／または、（２）前記少なくとも１つのセンサの感度レベル、感知範囲、またはサンプリング周波数を調節することによって、前記濾過デバイスおよび／または前記少なくとも１つのセンサの前記動作を達成するように構成されている、請求項１に記載のシステム。
【請求項１６】
前記プロセッサは、前記分析されたセンサデータに基づいて、前記ユーザの健康または福祉を向上するための推奨を生成するようにさらに構成されており、前記推奨は、グラフィカルディスプレイ上でグラフィカル視覚オブジェクトのセットとして表示される、請求項１に記載のシステム。
【請求項１７】
前記推奨は、（１）前記ユーザが前記１つまたは複数の元素を含有する前記空気を吸入し続けた場合における前記ユーザの健康への影響の警告、（２）前記ユーザの健康への前記１つまたは複数の元素の予測される影響を示すスコア、または、（３）前記１つまたは複数の元素を含有する前記空気の吸入を最小限にするための提案された是正措置のうちの１つまたは複数のものを含む、請求項１６に記載のシステム。
【請求項１８】
吸入および／または吐出された空気を濾過して分析するための方法であって、前記方法は、
ユーザによって装着されるように構成された装置を提供することであって、前記装置は、前記ユーザの鼻腔付近または鼻腔内に設置されるように構成された濾過デバイスを備え、前記濾過デバイスは、前記ユーザによって吸入される前記空気から１つまたは複数の元素を低減させるように構成されている、ことと、
複数のセンサを使用して収集されるデータを取得することであって、前記収集されたセンサデータの一部は、（ｉ）ユーザによって吸入および／または吐出される空気の１つまたは複数の特性、および／または、（ｉｉ）前記ユーザが位置する環境を示す、ことと、
前記収集されたセンサデータを分析することと、
前記分析されたセンサデータに基づいて、前記濾過デバイスおよび／または前記複数のセンサのうちの少なくとも１つのセンサの動作を達成することと
を含む、方法。
【手続補正２】
【補正対象書類名】明細書
【補正対象項目名】００２８
【補正方法】変更
【補正の内容】
【００２８】
参照による引用
本明細書で記述される全ての出版物、特許、および特許出願は、各個々の出版物、特許、または特許出願が、参照することによって組み込まれるように具体的かつ個別に示された場合と同一の程度に、参照することによって本明細書に組み込まれる。
本発明は、例えば、以下を提供する。
（項目１）
空気濾過および分析システムであって、前記システムは、
ユーザによって装着されるように構成された装置であって、前記装置は、濾過デバイスを備える、装置と、
データを収集するように構成された複数のセンサであって、センサデータの一部は、（ｉ）前記ユーザによって吸入および／または吐出される空気の１つまたはそれを上回る特性、および／または、（ｉｉ）前記ユーザが位置する環境を示し、少なくとも１つのセンサおよび／または前記装置は、前記収集されたセンサデータを分析するように構成されたプロセッサと通信する、センサと
を備える、システム。
（項目２）
前記濾過デバイスは、前記ユーザによって吸入される前記空気から１つまたはそれを上回る元素を低減させるように構成されている、項目１に記載のシステム。
（項目３）
前記濾過デバイスは、前記ユーザの鼻腔内に設置されるように構成されている、項目１に記載のシステム。
（項目４）
前記プロセッサをさらに備える、項目１に記載のシステム。
（項目５）
前記複数のセンサは、化学センサ、圧力および空気流センサ、心拍数モニタ、血液酸素飽和度センサ、ＧＰＳセンサ、温度センサ、および慣性センサから成る群から選択される、項目１に記載のシステム。
（項目６）
前記複数のセンサは、前記濾過デバイスとともに位置するかまたは前記濾過デバイス上に位置するセンサの第１のセットと、前記濾過デバイスの遠隔に位置するセンサの第２のセットとを備える、項目１に記載のシステム。
（項目７）
前記プロセッサは、前記ユーザの健康への１つまたはそれを上回る元素の影響を低減させるように、前記分析されたセンサデータに基づいて、濾過システムおよび／または少なくとも１つのセンサの動作を達成するように構成されている、項目１に記載のシステム。
（項目８）
前記プロセッサは、
（１）基準センサ参照に対して少なくとも１つのセンサを較正するステップ、
（２）少なくとも１つのセンサが正常に動作しているかどうか、または、前記センサが故障しているかどうかをチェックするステップ、または
（３）センサドリフト、エラー、またはバイアスを補正するステップ
のうちの１つまたはそれを上回るものを行うように構成されている、項目１に記載のシステム。
（項目９）
前記複数のセンサは、異なる事前判定されたサンプリング周波数において前記センサデータを収集するように構成されている、項目１に記載のシステム。
（項目１０）
前記プロセッサは、他の異なるタイプのセンサデータに対してセンサデータの各セットの精度を照合することによって、前記センサデータを分析するように構成されている、項目１に記載のシステム。
（項目１１）
前記プロセッサは、異なるソースからのセンサデータを相関させることによって、前記センサデータを分析するように構成されている、項目１に記載のシステム。
（項目１２）
前記プロセッサは、前記複数のセンサのそれぞれの精度および／または固有の感知特性に基づいて、加重を前記センサデータに割り当てるように構成されている、項目１に記載のシステム。
（項目１３）
前記プロセッサは、統計的方法を使用して前記センサデータを分析するように構成されている、項目１に記載のシステム。
（項目１４）
前記プロセッサは、個々のセンサまたはセンサのタイプの欠陥を補償する様式で異なるセンサデータのセットを組み合わせることによって、前記センサデータを分析するように構成されている、項目１に記載のシステム。
（項目１５）
前記プロセッサは、前記ユーザによって携行または装着されるモバイルデバイスまたはウェアラブルデバイスの上に位置する、および／または、前記ユーザの遠隔にあるサーバの上に位置する、項目１に記載のシステム。
（項目１６）
前記プロセッサは、前記収集されたセンサデータを圧縮し、メモリの中に前記圧縮されたデータを記憶するように構成されている、項目１に記載のシステム。
（項目１７）
前記プロセッサは、（１）前記ユーザの生理学的必要性および活動を満たすように、および／または、（２）前記ユーザの局所環境に基づいて、前記濾過デバイスおよび／または前記少なくとも１つのセンサをプログラムおよびカスタマイズすることによって、前記濾過デバイスおよび／または前記少なくとも１つのセンサの前記動作を達成するように構成されている、項目１に記載のシステム。
（項目１８）
前記プロセッサは、（１）前記ユーザの健康状態および／または病状、および／または、（２）前記ユーザが行っている活動のタイプを判定するように、前記収集されたセンサデータを分析するように構成されている、項目１に記載のシステム。
（項目１９）
前記プロセッサは、既知の汚染源への前記ユーザの近接性、環境、時刻、および／または、季節を判定するように、前記収集されたセンサデータを分析するように構成されている、項目１に記載のシステム。
（項目２０）
前記ユーザが１つの場所から別の場所まで移動するにつれて、時刻が変化するにつれて、季節が変化するにつれて、および／または、前記ユーザの健康状態の変化に応じて、前記濾過デバイスおよび／または前記少なくとも１つのセンサがリアルタイムで動的かつ自動的に適応するように構成されるように、前記プロセッサは、前記濾過デバイスおよび／または前記少なくとも１つのセンサの前記動作を達成するように構成されている、項目１に記載のシステム。
（項目２１）
前記プロセッサは、（１）前記少なくとも１つのセンサを選択的にアクティブ化または非アクティブ化すること、および／または、（２）前記少なくとも１つのセンサの感度レベル、感知範囲、またはサンプリング周波数を調節することによって、前記濾過デバイスおよび／または前記少なくとも１つのセンサの前記動作を達成するように構成されている、項目１に記載のシステム。
（項目２２）
吸入および／または吐出された空気を濾過して分析するための方法であって、前記方法は、
複数のセンサを使用して収集されるデータを取得するステップであって、センサデータの一部は、（ｉ）ユーザによって吸入および／または吐出される空気の１つまたはそれを上回る特性、および／または、（ｉｉ）前記ユーザが位置する環境を示し、濾過デバイスは、前記ユーザによって装着されるように構成されている、ステップと、
前記収集されたセンサデータを分析するステップと、
前記分析されたセンサデータに基づいて、前記濾過デバイスおよび／または前記複数のうちの少なくとも１つのセンサの動作を達成するステップと
を含む、方法。
（項目２３）
吸入および／または吐出された空気を濾過して分析するためのシステムであって、
前記システムは、サーバを備え、前記サーバは、
濾過デバイスに動作可能に結合される複数のセンサを使用して収集されるデータを記憶するためのメモリであって、センサデータの一部は、（ｉ）ユーザによって吸入および／または吐出される空気の１つまたはそれを上回る特性、および／または、（ｉｉ）前記ユーザが位置する環境を示し、濾過デバイスは、前記ユーザによって装着されるように構成されている、メモリと、
プロセッサであって、前記プロセッサは、
前記収集されたセンサデータを分析することと、
前記分析されたセンサデータに基づいて、前記濾過デバイスおよび／または少なくとも１つのセンサの動作を達成することと
を行うようにソフトウェア命令のセットを実行するように構成されている、プロセッサと
を備える、システム。
（項目２４）
命令を記憶する有形コンピュータ可読媒体であって、前記命令は、プロセッサによって実行されると、前記プロセッサに、吸入および／または吐出された空気を濾過して分析するためのコンピュータ実装方法を行わせ、前記方法は、
複数のセンサを使用して収集されるデータを取得するステップであって、センサデータの一部は、（ｉ）ユーザによって吸入および／または吐出される空気の１つまたはそれを上回る特性、および／または、（ｉｉ）前記ユーザが位置する環境を示し、濾過デバイスは、前記ユーザによって装着されるように構成されている、ステップと、
前記収集されたセンサデータを分析するステップと、
前記分析されたセンサデータに基づいて、前記濾過デバイスおよび／または前記複数のうちの少なくとも１つのセンサの動作を達成するステップと
を含む、有形コンピュータ可読媒体。
（項目２５）
汚染およびユーザ健康監視のためにセンサデータを分析して表示するためのシステムであって、
前記システムは、複数のセンサと通信するプロセッサを備え、前記プロセッサは、
前記複数のセンサによって収集される前記センサデータを受信することであって、前記複数のセンサは、（１）ユーザの呼吸通路に近接して位置し、前記ユーザによって吸入される空気中の１つまたはそれを上回る元素と関連付けられるセンサデータを収集するように構成されたセンサの第１のセットと、（２）前記ユーザから遠隔に位置し、複数の異なるセンサデータを収集するように構成されたセンサの第２のセットとを備える、ことと、
前記収集されたセンサデータを分析し、それによって、前記ユーザに特有である健康推奨を含む複数の汚染および健康測定基準を生成することと、
少なくとも１つのユーザデバイス上で前記複数の汚染および健康測定基準を提供することであって、前記複数の汚染および健康測定基準は、前記ユーザデバイスのグラフィカルディスプレイ上でグラフィカル視覚オブジェクトのセットとして表示されるように構成されている、ことと
を行うように構成されている、システム。
（項目２６）
前記複数の汚染および健康測定基準は、前記ユーザの付近内の前記空気中の前記１つまたはそれを上回る元素の検出されたレベルを含む、項目２５に記載のシステム。
（項目２７）
前記複数の汚染および健康測定基準は、前記１つまたはそれを上回る元素のレベルが前記ユーザの付近内で増加または減少することが予期されるかどうかの予測、および／または、前記増加または減少の割合を含む、項目２５に記載のシステム。
（項目２８）
前記健康推奨は、前記ユーザが前記１つまたはそれを上回る元素を含有する前記空気を吸入し続けた場合に、前記ユーザの健康への影響の警告を含む、項目２５に記載のシステム。
（項目２９）
前記健康推奨は、前記ユーザの健康への前記１つまたはそれを上回る元素の予測される影響を示す数値を含む、項目２５に記載のシステム。
（項目３０）
前記プロセッサは、前記数値が事前判定された閾値を超えるときに、音声、視覚、嗅覚、および／または、触覚信号を生成して前記ユーザに通知するように構成されている、項目２９に記載のシステム。
（項目３１）
前記健康推奨は、前記１つまたはそれを上回る元素を含有する前記空気の吸入を最小限にするように、提案された是正措置を含む、項目２５に記載のシステム。
（項目３２）
前記提案された是正措置は、前記ユーザが異なるルートをとるかまたは異なる地域に移転するという推奨を含む、項目３１に記載のシステム。
（項目３３）
前記提案された是正措置は、前記ユーザが任意の激しい身体的活動を低減させるかまたは中止するという推奨を含む、項目３１に記載のシステム。
（項目３４）
前記提案された是正措置は、前記ユーザが、前記吸入された空気から前記１つまたはそれを上回る元素を除去するかまたは低減させるように構成された空気濾過デバイスを使用するという推奨を含む、項目３１に記載のシステム。
（項目３５）
前記プロセッサは、前記吸入された空気中の前記１つまたはそれを上回る元素のレベルが事前判定されたレベルを超えるときに、音声、視覚、および／または、触覚信号を生成して前記ユーザに通知するように構成されている、項目２５に記載のシステム。
（項目３６）
前記プロセッサは、前記ユーザの病状または健康状態を前記吸入された空気中の前記１つまたはそれを上回る元素のレベルと相関させることによって、前記収集されたセンサデータを分析するように構成されている、項目２５に記載のシステム。
（項目３７）
前記プロセッサは、前記ユーザの健康により大きい影響またはより少ない影響を及ぼす前記１つまたはそれを上回る元素のうちのいずれかを判定するように、前記収集されたセンサデータを分析するように構成されている、項目２５に記載のシステム。
（項目３８）
前記プロセッサは、前記ユーザの健康の検出された変化に基づいて、適宜前記健康推奨を調節するように構成されている、項目２５に記載のシステム。
（項目３９）
前記プロセッサは、前記収集されたセンサデータに基づいて、リアルタイムで前記複数の汚染および健康測定基準を更新するように構成されている、項目２５に記載のシステム。
（項目４０）
汚染およびユーザ健康監視のためにセンサデータを分析して表示する方法であって、前記方法は、
複数のセンサによって収集される前記センサデータを受信するステップであって、前記複数のセンサは、（１）ユーザの呼吸通路に近接して位置し、前記ユーザによって吸入される空気中の１つまたはそれを上回る元素と関連付けられるセンサデータを収集するように構成されたセンサの第１のセットと、（２）前記ユーザから遠隔に位置し、複数の異なるセンサデータを収集するように構成されたセンサの第２のセットとを備える、ステップと、
前記収集されたセンサデータを分析し、それによって、前記ユーザに特有である健康推奨を含む複数の汚染および健康測定基準を生成するステップであって、前記複数の汚染および健康測定基準は、少なくとも１つのユーザデバイスのグラフィカルディスプレイ上でグラフィカル視覚オブジェクトのセットとして表示されるように構成されている、ステップと
を含む、方法。
（項目４１）
命令を記憶する有形コンピュータ可読媒体であって、前記命令は、プロセッサによって実行されると、前記プロセッサに、汚染およびユーザ健康監視のためにセンサデータを分析して表示するためのコンピュータ実装方法を行わせ、前記方法は、
複数のセンサによって収集された前記センサデータを受信するステップであって、前記複数のセンサは、（１）ユーザの呼吸通路に近接して位置し、前記ユーザによって吸入される空気中の１つまたはそれを上回る元素と関連付けられるセンサデータを収集するように構成されたセンサの第１のセットと、（２）前記ユーザから遠隔に位置し、複数の異なるセンサデータを収集するように構成されたセンサの第２のセットとを備える、ステップと、
前記収集されたセンサデータを分析し、それによって、前記ユーザに特有である健康推奨を含む複数の汚染および健康測定基準を生成するステップと、
メモリの中に前記複数の汚染および健康測定基準を記憶するステップと、
少なくとも１つのユーザデバイス上で前記複数の汚染および健康測定基準を提供するステップであって、前記複数の汚染および健康測定基準は、前記ユーザデバイスのグラフィカルディスプレイ上でグラフィカル視覚オブジェクトのセットとして表示されるように構成されている、ステップと
を含む、有形コンピュータ可読媒体。
（項目４２）
空気濾過および感知装置であって、前記装置は、
濾過デバイスであって、前記濾過デバイスは、ユーザによって装着されるように構成されており、かつ、前記ユーザによって吸入される空気から１つまたはそれを上回る元素を低減させるように構成されている、濾過デバイスと、
前記濾過デバイスに動作可能に結合される複数のセンサであって、前記複数のセンサは、前記吸入および／または吐出された空気中の前記１つまたはそれを上回る元素の濃度レベルを検出するように構成されており、前記複数のうちの少なくとも１つのセンサは、前記ユーザの運動および／または呼吸から抽出されるエネルギーによって給電される、センサと
を備える、装置。
（項目４３）
前記エネルギーは、発電機を使用して抽出され、前記発電機は、圧電要素、誘導要素、および／または、風車を備える、項目４２に記載の装置。
（項目４４）
前記エネルギーを貯蔵および／または放出するように構成されたエネルギー貯蔵デバイスをさらに備える、項目４２に記載の装置。
（項目４５）
前記複数のセンサは、節電モードおよび性能モードを含む複数の動作モードで動作するように構成されている、項目４２に記載の装置。
（項目４６）
前記性能モードは、前記節電モードと比較してより多くの電力を消費する、項目４５に記載の装置。
（項目４７）
前記センサの動作中に前記複数のセンサからの熱放散を改良するように構成された１つまたはそれを上回る冷却機構をさらに備える、項目４２に記載の装置。
（項目４８）
空気濾過および感知装置内の少なくとも１つのセンサに給電するための方法であって、前記方法は、
１つまたはそれを上回るエネルギー収集要素を使用して、ユーザの運動および／または呼吸からエネルギーを抽出するステップと、
前記抽出されたエネルギーを使用して、複数のセンサから選択される前記少なくとも１つのセンサに給電するステップであって、前記複数のセンサは、前記ユーザによって吸入および／または吐出される空気中の１つもしくそれを上回る元素の濃度レベルを検出するように構成されており、前記複数のセンサは、濾過デバイスに動作可能に結合され、前記濾過デバイスは、前記ユーザによって装着されるように構成されている、ステップと
を含む、方法。
（項目４９）
空気濾過装置であって、前記装置は、
フィルタホルダであって、前記フィルタホルダは、その中で複数の異なるカートリッジフィルタを受容し、交換するように構成されており、前記複数の異なるカートリッジフィルタは、複数の異なる環境のための異なるユーザの濾過要件および健康上の必要性を満たすように構成されており、前記複数の異なるカートリッジフィルタは、ユーザによって吸入される空気中の１つまたはそれを上回る元素を低減させるように構成されている、フィルタホルダ
を備える、装置。
（項目５０）
前記フィルタホルダは、部分的または完全な鼻挿入物を備える、項目４９に記載の装置。
（項目５１）
前記フィルタホルダは、顔面マスクまたは人工呼吸器の一部である、項目４９に記載の装置。
（項目５２）
前記複数の異なるカートリッジフィルタは、迅速解放機構を使用して、前記フィルタホルダ上に交換および／または搭載されるように構成されている、項目４９に記載の装置。
（項目５３）
前記複数の異なるカートリッジフィルタは、ツールを使用することなく、前記フィルタホルダ上に交換および／または搭載されるように構成されている、項目４９に記載の装置。
（項目５４）
前記カートリッジフィルタのうちの少なくとも１つは、メッシュを備える、項目４９に記載の装置。
（項目５５）
前記メッシュは、ナノ繊維マットを備える、項目５４に記載の装置。
（項目５６）
前記メッシュは、活性炭を備える、項目５４に記載の装置。
（項目５７）
前記メッシュは、同一または異なる形状および／またはサイズを有する、複数の細孔を備える、項目５４に記載の装置。
（項目５８）
前記メッシュは、空気流の増加を可能にするように構成されたナノ構造化メッシュを備える、項目５４に記載の装置。
（項目５９）
前記メッシュは、空気の濾過が吸入中に事前判定された方向へ起こるような様式で配列される、項目５４に記載の装置。
（項目６０）
空気流を増加させるための１つまたはそれを上回る拡張構造をさらに備える、項目４９に記載の装置。
（項目６１）
前記カートリッジフィルタのうちの少なくとも１つは、空気流を増加させるようにその位置および／または形状を調節することが可能である濾過要素を備える、項目４９に記載の装置。
（項目６２）
空気濾過装置を組み立てるための方法であって、前記方法は、
前記空気濾過装置のフィルタホルダの中へ第１のカートリッジフィルタを取り付けるステップであって、前記フィルタホルダは、その中で複数の異なるカートリッジフィルタを受容し、交換するように構成されており、前記複数の異なるカートリッジフィルタは、ユーザによって吸入される空気から１つまたはそれを上回る元素を低減させるように構成されている、ステップと、
前記フィルタホルダから前記第１のカートリッジフィルタを除去するステップと、
前記フィルタホルダの中へ第２のカートリッジフィルタを取り付けるステップであって、前記第１のカートリッジフィルタは、前記ユーザの濾過要件および健康上の必要性の第１のセットを満たすようにカスタマイズされ、前記第２のカートリッジフィルタは、前記ユーザの濾過要件および健康上の必要性の前記第１のセットと異なる濾過要件および健康上の必要性の第２のセットを満たすようにカスタマイズされる、ステップと
を含む、方法。
（項目６３）
汚染およびユーザ健康監視のためにセンサデータを表示する方法であって、前記方法は、
ユーザデバイス上でユーザから入力を受信するステップであって、前記入力は、前記ユーザに特有である健康推奨を含む複数の汚染および健康測定基準と関連付けられる前記ユーザからの要求を備える、ステップと、
前記受信された入力に応答して、グラフィカルディスプレイ上でグラフィカル視覚オブジェクトのセットとして前記複数の汚染および健康測定基準を表示するステップであって、前記グラフィカル視覚オブジェクトのうちの少なくとも１つは、リアルタイムで変化し、前記測定基準が複数のセンサによって監視されるにつれて前記複数の汚染および健康測定基準の変化を反映するように構成されている、ステップと
を含む、方法。
（項目６４）
前記ユーザデバイスは、モバイルデバイスを備える、項目６３に記載の方法。
（項目６５）
前記グラフィカルディスプレイは、前記ユーザデバイス上に提供される、項目６３に記載の方法。
（項目６６）
鼻装置であって、前記鼻装置は、
筐体であって、前記筐体は、ユーザの身体の中および外への空気流を可能にするためにその中に位置する空洞を備える、筐体と、
１つまたはそれを上回る外部固定デバイスの使用を要求することなく、前記ユーザの鼻の上に鼻装置を添着するように、前記筐体を前記ユーザの鼻腔の一部に解放可能に結合するように構成されている、保定機構と
を備える、鼻装置。
（項目６７）
前記保定機構は、前記筐体の周辺部分上に位置する、項目６６に記載の装置。
（項目６８）
前記保定機構は、前記筐体の前記周辺部分から延在する少なくとも１つの突出を備える、項目６７に記載の装置。
（項目６９）
前記保定機構は、前記筐体の前記周辺部分の反対端上に位置する第１の突出と、第２の突出とを備える、項目６８に記載の装置。
（項目７０）
前記少なくとも１つの突出は、前記ユーザの鼻腔の前記一部に解放可能に結合されるように構成されている、項目６８に記載の装置。
（項目７１）
前記少なくとも１つの突出は、前記ユーザの鼻腔の前記一部の中に位置する天然軟骨および／または組織ポケットに解放可能に結合するように成形される、項目６８に記載の装置。
（項目７２）
前記保定機構は、所定の運動を介して前記筐体を前記ユーザの鼻腔の前記一部に解放可能に結合するように構成されている、項目６６に記載の装置。
（項目７３）
前記所定の運動パターンは、前記鼻装置の少なくとも１つの回転運動を備える、項目６６に記載の装置。
（項目７４）
前記装置は、前記装置が前記ユーザの鼻の上に装着されているときに、前記ユーザの唇の動きへの物理的干渉を最小限にする形状および／または外形を有する、項目６６に記載の装置。
（項目７５）
前記装置は、前記装置が前記ユーザの鼻の上に装着されているときに、前記ユーザの上唇を侵害しない、項目７４に記載の装置。
（項目７６）
前記装置は、前記装置が前記ユーザの鼻の上に装着されているときに、前記ユーザの唇の動きを視覚的に妨害しない、項目６６に記載の装置。